(57)【要約】【課題】受光量を受光位置によらず均一化できる照射装置を提供する。【解決手段】被照射物１０への光照射は、シャッタ２ａが矢印２Ａの方向へ移動し、つまり光路から退避することによりなされる。照射を終了するときは、シャッタ２ｂが矢印２Ｂの方向へ移動し、つまり光路へ進入し光路を塞ぐ。【選択図】図１
2009021160.tif 000002
【特許請求の範囲】
【請求項１】
メタルハライドランプと、
前記メタルハライドランプに電力を供給する電源と、
前記メタルハライドランプと被照射物の間の光路から退避するシャッタと、
前記光路へ進入するシャッタとを備え、
前記進入の方向と前記退避の方向とが互いに等しいことを特徴とする照射装置。
【請求項２】
前記各シャッタが連動するように構成されたことを特徴とする請求項１記載の照射装置。
【発明の詳細な説明】
【技術分野】
【０００１】
本発明は、メタルハライドランプを用いた照射装置に関するものである。
【背景技術】
【０００２】
従来、特許文献１に示されるような長尺の紫外線ランプを使用したシャッタ付きの照射装置が多用されている。このような照射装置は窓部の左右にシャッタを有し、このシャッタにより窓部を開閉している。
【０００３】
このような照射装置は、面積の小さい被照射物に光を照射する用途では、シャッタの移動距離および移動時間が短く、受光位置による受光量の差が小さいので、実用上の不都合にならないことが多い。
【０００４】
しかし、近年、面積の大きい被照射物に光を照射する照射装置では、ランプも複雑化され、被照射物上の移動距離および移動時間が長いので、左右から開閉されるシャッタでは、受光位置による受光量の差が大きく、実用上の不都合となることがある。
【０００５】
図４は、その照射装置のシャッタの構成と動作を解説する説明図である。
【０００６】
図４（ａ）に示すように、シャッタ３ａ，３ｂが、メタルハライドランプ１と被照射物１０の間の光路へ進入した状態で光路を塞いでいる。
【０００７】
被照射物１０への光照射は、メタルハライドランプ１が光を発光しているときに、シャッタ３ａ，３ｂがそれぞれ矢印３Ａ，３Ｂの方向へ同時に移動し、つまり光路から退避することにより開始される。
【０００８】
照射を終了するときは、シャッタ３ａ，３ｂが、光路へ同時に進入し、光路を塞ぐ。
【０００９】
図４（ｂ）は、被照射物１０の位置での受光量（１回の照射での積算量）を示す図である。同図は、シャッタ３ａ，３ｂが移動する方向における各受光位置での受光量を示しているのだが、上記の動作に起因して、受光位置により受光量が異なり、つまり受光量が不均一になる。
【特許文献１】特開２００２−２９２８２５号公報
【発明の開示】
【発明が解決しようとする課題】
【００１０】
本発明は、上記の課題に鑑みてなされたものであり、その目的とするところは、受光量を受光位置によらず均一化できる照射装置を提供することにある。
【課題を解決するための手段】
【００１１】
上記の課題を解決するために、本発明に係る照射装置は、メタルハライドランプと、前記メタルハライドランプに電力を供給する電源と、前記メタルハライドランプと被照射物の間の光路から退避するシャッタと、前記光路へ進入するシャッタとを備え、前記進入の方向と前記退避の方向とが互いに等しいことを特徴とする。
【００１２】
本発明では、一方のシャッタを光路から退避させて被照射物への光照射を開始し、他方のシャッタを光路に進入させることで光照射を終了させる。本発明によれば、該一方のシャッタの進入の方向と該他方のシャッタの退避の方向とを互いに等しくしたことで、一方のシャッタが光路から退避しているときの受光量の積算量は、該方向の後方側の受光位置ほど多く、これに対し、他方のシャッタが光路へ進入しているときの受光量の積算量は、該方向の前方側の受光位置ほど多い。これにより、前者の受光量の積算量と後者の受光量の積算量を合計した量つまりシャッタの移動時における受光量の積算量が受光位置によらず均一化される。よって、各シャッタが共に光路から退避して主たる光照射がなされている時の受光量を含め、受光量を受光位置によらず均一化することができる。
【発明の効果】
【００１３】
本発明によれば、一方のシャッタの進入の方向と他方のシャッタの退避の方向とを互いに等しくしたことで、シャッタの移動時における受光量の積算量が受光位置によらず均一化され、よって、各シャッタが共に光路から退避して主たる光照射がなされている時の受光量を含め、受光量を受光位置によらず均一化することができる。すなわち、面積が大きい被照射物の処理が可能になる。
【発明を実施するための最良の形態】
【００１４】
以下、本発明の一実施の形態について図面を参照して説明する。
【００１５】
図１（ａ）〜（ｃ）は、本実施の形態に係る照射装置のシャッタの構成と動作を解説する説明図である。。
【００１６】
この照射装置は、被照射物１０に光（紫外線など）を照射するものであり、例えば発光用の希ガス、水銀およびハロゲンメタル（共に不図示）をガラス管に封入してなるものを１以上有するメタルハライドランプ１と、メタルハライドランプ１に電力を供給する電源（図示せず）と、板状のシャッタ２ａ，２ｂを備える。
【００１７】
図１（ａ）に示すように、シャッタ２ａが、メタルハライドランプ１と被照射物１０の間に存在する光路へ進入した状態で光路を塞いでいる。
【００１８】
図１（ｂ）に示すように、被照射物１０への光照射は、電源の電力供給によりメタルハライドランプ１が光を発光しているときに、シャッタ２ａが矢印２Ａの方向へ移動し、つまり光路から退避することにより開始される。
【００１９】
主たる光照射は、このように各シャッタ２ａ，２ｂが共に光路から退避しているになされる。
【００２０】
図１（ｃ）に示すように、照射を終了するときは、シャッタ２ｂが矢印２Ｂの方向へ移動し、つまり光路へ進入し光路を塞ぐ。
【００２１】
次回の照射は、シャッタ２ｂが矢印２Ｂの方向の逆方向へ移動し、つまり光路から退避することにより開始される。
【００２２】
この照射を終了するときは、シャッタ２ａが矢印２Ａの方向の逆方向へ移動し、つまり光路へ進入し、光路を塞ぐ。
【００２３】
以下、同様な光照射がなされる。
【００２４】
図２は、被照射物１０の位置での受光量（１回の照射での積算量）を示す図である。同図は、シャッタ２ａ，２ｂが移動する方向における各受光位置での受光量を示しているのだが、上記の動作により、受光位置によらず受光量が均一になる。
【００２５】
この理由は以下のように説明することができる。
【００２６】
図１でシャッタ２ａが矢印２Ａの方向へ移動しているときの受光量の積算量は、該方向の後方側（同図で右側）の受光位置ほど多く、これに対し、同図でシャッタ２ｂが矢印２Ｂの方向へ移動しているときの受光量の積算量は、該方向の前方側（同図で左側）の受光位置ほど多い。これにより、前者の受光量の積算量と後者の受光量の積算量を合計した量つまりシャッタ２ａ，２ｂの移動時における受光量の積算量が受光位置によらず均一化される。よって、シャッタ２ａ，２ｂが共に光路から退避して主たる光照射がなされている時の受光量を含め、受光量を受光位置によらず均一化することができるのである。
【００２７】
したがって、本照射装置によれば、一方のシャッタの進入の方向と該他方のシャッタの退避の方向とを互いに等しくしたことで、例えば、面積の大きい被照射物に光を照射する照射装置を構成し、これにより、移動距離および移動時間が長くなったとしても、受光量を均一化することができる。すなわち、面積が大きい被照射物の処理が可能になる。
【００２８】
（変形例）
図３は、本実施の形態の変形例に係る照射装置のシャッタの構成を示す平面図である。
【００２９】
照明装置では、シャッタ２ａ，２ｂが連動するように構成してもよい。例えば、同図に示すように、シャッタ２ａ，２ｂを一体化し、シャッタ２ａ，２ｂの間に開口部２ｃを形成すればよい。
【００３０】
この変形例では、当初、例えばシャッタ２ａが光路を塞いでいる。そして、一体のシャッタ２ａ，２ｂがシャッタ２ａを先頭にして直線的に移動する。これにより、シャッタ２ａが光路から退避し開口部２ｃが光路に進入する。こうして、被照射物への光照射が開始される。
【００３１】
主たる光照射は、このように各シャッタ２ａ，２ｂが共に光路から退避しているになされる。
【００３２】
光照射を終了するときは、一体のシャッタ２ａ，２ｂがシャッタ２ａを先頭にして、同方向へ更に直線的に移動する。これにより、開口部２ｃが光路から退避するとともに、シャッタ２ｂが光路へ進入し光路を塞ぐ。
【００３３】
シャッタ２ａが光路から退避し開口部２ｃが光路へ進入しているときの受光量の積算量は、進行方向の後方側の受光位置ほど多く、これに対し、開口部２ｃが光路から退避しシャッタ２ｂが光路へ進入しているときの受光量の積算量は、進行方向の前方側の受光位置ほど多い。これにより、前者の受光量の積算量と後者の受光量の積算量を合計した量つまりシャッタ２ａ，２ｂの移動時における受光量の積算量が受光位置によらず均一化される。よって、シャッタ２ａ，２ｂが共に光路から退避して主たる光照射がなされている時の受光量を含め、受光量を受光位置によらず均一化することができる。
【００３４】
また、この変形例によれば、シャッタ２ａ，２ｂを連動させることで、シャッタ２ａ，２ｂを同一の制御により移動させることができる。
【図面の簡単な説明】
【００３５】
【図１】本実施の形態に係る照射装置のシャッタの構成と動作を解説する説明図である。。
【図２】被照射物の位置での受光量を示す図である。
【図３】本実施の形態の変形例に係る照射装置のシャッタの構成を示す平面図である。
【図４】従来の照射装置のシャッタの構成と動作を解説する説明図である。
【符号の説明】
【００３６】
１  メタルハライドランプ
２ａ、２ｂ、３ａ、３ｂ  シャッタ
２ｃ  開口部
１０  被照射物
【図１】
2009021160.tif 000003
【図２】
2009021160.tif 000004
【図３】
2009021160.tif 000005
【図４】
2009021160.tif 000006